(57)【要約】  装着時における爪の割れの防止、個人毎で異なる爪幅への幅広い対応、製造コストの削減、自由縁に対する装着状態の保持等の実現。矯正体と、支持筒と、挟持部とを具備し、爪の自由縁に装着して巻爪を矯正する巻爪矯正器である。
2018138945.tif 000002
【特許請求の範囲】
【請求項１】
爪の自由縁に装着して巻爪を矯正する巻爪矯正器であって、矯正体と、支持筒と、挟持部とを具備し、前記矯正体は、撓らせる方向の力に対して反発力が生じる弾性を有する素材を用いて、長手方向の長さを前記自由縁の爪幅以上として形成され、前記支持筒は、前記矯正体の長手方向と平行な軸を有し、前記矯正体が、該矯正体の長手方向を前記支持筒の軸と平行としてスライド自在に挿入され、前記挟持部は、幅方向を前記支持筒の軸と平行として、一端を該支持筒に固定して突設された固定板と、幅方向を前記支持筒の軸と平行とし、前記固定板に対して該固定板の厚み方向で離間させて対面するように配置された支持板と、前記固定板と前記支持板の前記支持筒側の端部の間に確保された挿入口と、前記固定板と前記支持板とを該固定板の突出側端部で連結すると共に、前記挿入口の拡開に伴う前記支持板が前記固定板から離間する方向の力に対して反発力が生じる弾性を有する連結部とを備えていることを特徴とする巻爪矯正器。
【請求項２】
前記支持板又は前記固定板に一体、且つ前記支持板と前記固定板との間に位置するように形成された接触突起を有していることを特徴とする請求項１に記載の巻爪矯正器。
【請求項３】
前記支持板又は前記固定板に一体、且つ前記支持板と前記固定板との間に位置するように形成された接触突起を有し、前記接触突起は、幅方向の両縁部から突出側の端部へ向かって先細り形状に形成されていることを特徴とする請求項１に記載の巻爪矯正器。
【請求項４】
前記支持板又は前記固定板に一体、且つ前記支持板と前記固定板との間に位置するように形成された接触突起を有し、前記接触突起は、前記固定板又は前記支持板の前記挿入口側から前記連結部側に向かって、前記固定板と前記支持板との間を狭める方向に傾斜する傾斜面を有していることを特徴とする請求項１に記載の巻爪矯正器。
【請求項５】
前記支持板又は前記固定板に一体、且つ前記支持板と前記固定板との間に位置するように形成された接触突起を有し、前記接触突起は、幅方向の両縁部から突出側の端部へ向かって先細り形状に形成されていると共に、前記固定板又は前記支持板の前記挿入口側から前記連結部側に向かって、前記固定板と前記支持板との間を狭める方向に傾斜する傾斜面を有していることを特徴とする請求項１に記載の巻爪矯正器。
【請求項６】
前記矯正体は、樹脂膜で被覆されていることを特徴とする請求項１に記載の巻爪矯正器。
【発明の詳細な説明】
【技術分野】
【０００１】
本発明は、趾の巻爪を矯正する巻爪矯正器に関する。
【背景技術】
【０００２】
従来の趾の巻爪矯正の方法として、ワイヤ法と呼ばれるものがあり、巻爪矯正において最も多く用いられている方法として知られている。【０００３】
ワイヤ法は、２ｍｍ〜３ｍｍ程度に伸ばした爪の自由縁(趾肉から離れた爪の先端側の縁)の左右両端側に孔を開け、この孔に対して、軸の湾曲状態から軸が直線状となる状態に戻る弾性を有するワイヤを曲げながら、このワイヤの両端部を夫々孔に挿入する。【０００４】
この巻爪矯正法では、ワイヤが曲げられて挿入された状態で、このワイヤにワイヤ軸を直線状に戻す力が作用しており、この直線状に戻す力を利用して、爪の両端側を左右に拡開することで巻爪を矯正するようになっている。【０００５】
しかしながら、巻爪は、もろくなっている場合が多く、孔に挿入されたワイヤが直線状に戻ることによる、爪の左右両端側を左右に拡開する力が孔に作用したときに、孔周りの爪が割れてしまうという問題、孔を開けるときに爪が割れてしまうという問題があった。【０００６】
これらの問題点を回避するために、下記、特許文献１に記載されているように、爪に孔を開けずに巻爪を矯正する巻爪矯正器が提案されている（〔図２〕、〔図３〕、〔図４〕参照)。【０００７】
〔図２〕、〔図３〕に示す巻爪矯正器は、矯正板の一側端に、矯正板と上下方向で対面するカギツメが突設されたものであり、〔図２〕は、矯正板を自由縁の裏側とし、カギツメを自由縁の表側として、自由縁に対して挟持状に嵌合することで装着し、〔図３〕は、矯正板を表側とし、カギツメを裏側として、自由縁に対して挟持状に嵌合することで装着するようにされている。【０００８】
また、〔図４〕に示す巻爪矯正器は、矯正板が中央部で折り曲げられていると共に、矯正板の両端に、自由縁の端縁に嵌合するフックを備えており、フックを自由縁の端縁に嵌合することで装着するようにされている。
【先行技術文献】
【特許文献】
【０００９】
【特許文献１】特開２００７−２４４８５２号公報
【発明の概要】
【発明が解決しようとする課題】
【００１０】
〔図２〕、〔図３〕に示す従来技術の巻爪矯正器によると、矯正板とカギツメとで自由縁を挟持することで、爪に孔を開けることなく装着でき、装着時において矯正板の弾性によって自由縁を持ち上げながら巻爪を矯正することができる。【００１１】
また、〔図４〕に示す従来技術の巻爪矯正器によると、フックを自由縁の両端縁に嵌合し、自由縁を挟持することによって、爪に孔を開けることなく装着でき、装着時において矯正板が自由縁を拡げた状態を保持することで巻爪を矯正することができる。【００１２】
また、特許文献１の巻爪矯正器は、〔図２〕、〔図３〕、〔図４〕に示されているように、カギツメ部分、フック部分を二重に折り返すことで、カギツメ、フックをばね状に形成し、自由縁に装着した状態において、挟持方向にばね力を作用させることで、装着状態を保持するようにされている。【００１３】
しかしながら、前述した従来技術の巻爪矯正器は、〔００２８〕、〔図２〕、〔図３〕、〔図４〕に記載されているように、所定の形状、且つ爪の幅方向（左右方向）長さに対応する長さを有して形成された成型品であるため、個人毎で異なる爪幅に対応することが難しいという問題がある。【００１４】
巻爪矯正器を個々に異なる爪幅に対応させるには、爪幅方向に沿う長さがｍｍ単位で異なる複数のサイズの巻爪矯正器を用意する方法が挙げられる。しかしながら、既製品としてあらゆる爪幅に対応させることは、製造コストが高くなるという点で無理であるため、ある程度の限られた大きさのサイズに絞られるが、前述のように爪幅は個人毎で異なるため、装着時にサイズが合わないことが生じるという問題がある。【００１５】
この従来技術の巻爪矯正器は、自由縁をカギツメ、フックのばね力によって挟持することで、装着状態を保持しているが、使用者の歩行中や靴下の着脱等によって、自由縁に対する巻爪矯正器のずれや脱落が生じるという問題がある。【００１６】
〔図４〕に示す従来技術の巻爪矯正器は、装着状態において爪の表面から突出する折れ曲がり部分が引っ掛かるため、使用者の歩行中や靴下の着脱等によって外れ易い上に、この曲がり部分の角が靴下や靴の内側に引っ掛かって、靴下や靴が破損してしまうこともある。【００１７】
〔図４〕に示す従来技術の巻爪矯正器に対して、〔図２〕、〔図３〕に示す従来技術の巻爪矯正器は、自由縁の装着時当初では、矯正板及びカギツメが自由縁の裏面と表面とに沿っているので、〔図４〕に示す従来技術の巻爪矯正器に比べると外れ難いものであると共に、靴下や靴の内側を破損させてしまうことはないと思われるが、自由縁に対してばね力で挟持しているため、結局滑って外れてしまう。【００１８】
〔図２〕、〔図３〕に示す従来技術の巻爪矯正器のずれや脱落を防止するには、接着剤等を使用して巻爪矯正器を自由縁に固定することが考えられるが、巻爪矯正器を自由縁に固定すると、巻爪の矯正ができないという問題が生じる。【００１９】
以下、図９（ａ)、（ｂ）に基づいて、巻爪の矯正状態を説明すると共に、巻爪矯正器１００を自由縁２００に固定した際の問題点を説明する。図９(ａ)は、巻爪の矯正当初の状態を示し、図９（ｂ）は、巻爪の矯正後半の状態を示している。【００２０】
巻爪の矯正を行う際には、巻爪矯正器１００を装着したままとし、巻爪となった自由縁２００の曲がりが矯正板１０１の反発力によって徐々に平らとなって矯正される。【００２１】
このような矯正状態においては、巻爪矯正器１００の矯正当初では、矯正板１０１が自由縁２００の曲がりに沿うように撓っていると共に、自由縁２００の表面２０１のカギツメ１０２の位置が矯正板１０１の撓りに対応した位置にある。【００２２】
この矯正当初の状態から矯正終了まで、矯正板１０１が自身の反発力によって徐々に平らとなる動作では、自由縁２００を挟持する矯正板１０１とカギツメ１０２が、自由縁２００に対して爪幅方向に沿って滑りながら平らの状態へと移行し、この平らの状態への移行時に、自由縁２００の巻爪による曲がりを押し拡げるようになっている。【００２３】
すなわち、巻爪矯正器１００は、自由縁２００に対して矯正板１０１とカギツメ１０２が滑ることによって、矯正板１０１が装着状態において平らとなる動作を行い、この動作によって、巻爪の矯正を行うことができる。【００２４】
一方、巻爪矯正器１００の外れを防止するために、矯正板１０１やカギツメ１０２を自由縁２００に固定した場合には、自由縁２００に対して矯正板１０１とカギツメ１０２の滑りが阻止されるため、矯正板１０１が撓った状態から平らとなることができなくなる。【００２５】
したがって、巻爪矯正器１００は、外れを防止するために、矯正板１０１やカギツメ１０２を自由縁２００に固定すると、巻爪の矯正ができなくなるという構造上の問題がある。【００２６】
しかも、自由縁２００への挟持力についても、ある程度緩めにしておかないと、矯正板１０１やカギツメ１０２の滑りが阻害されてしまい、巻爪の矯正が正常にできなくなるため、挟持力を強くすることができないという問題もある。【００２７】
このため、装着時における爪の割れの防止、個人毎で異なる爪幅への幅広い対応、製造コストの削減、自由縁に対する装着状態の保持、装着状態を保持した上で正常な巻爪の矯正等、前述の各問題点を解消した巻爪矯正器が求められている。
【課題を解決するための手段】
【００２８】
前述の課題を解決するため、本発明では、以下の手段を採用した。【００２９】
爪の自由縁に装着して巻爪を矯正する巻爪矯正器であって、矯正体と、支持筒と、挟持部とを具備し、前記矯正体は、撓らせる方向の力に対して反発力が生じる弾性を有する素材を用いて、長手方向の長さを前記自由縁の爪幅以上として形成され、前記支持筒は、前記矯正体の長手方向と平行な軸を有し、前記矯正体が、該矯正体の長手方向を前記支持筒の軸と平行としてスライド自在に挿入され、前記挟持部は、幅方向を前記支持筒の軸と平行として、一端を該支持筒に固定して突設された固定板と、幅方向を前記支持筒の軸と平行とし、前記固定板に対して該固定板の厚み方向で離間させて対面するように配置された支持板と、前記支持板又は前記固定板に一体、且つ前記支持板と前記固定板との間に位置するように形成された接触突起と、前記固定板と前記支持板の前記支持筒側の端部の間に確保された挿入口と、前記固定板と前記支持板とを突出方向側の端部で連結すると共に、前記挿入口の拡開に伴う前記支持板が前記固定板から離間する方向の力に対して反発力が生じる弾性を有する連結部とを備えていることを特徴とする巻爪矯正器にしたことである。
【図面の簡単な説明】
【００３０】
【図１】本発明に係る第１実施形態の巻爪矯正器の平面図である。
【図２】図１の背面図であり、自由縁のみを断面して示す。
【図３】図１の（３）-（３）線断面図である。
【図４】図３において掛止溝を設けずに自由縁に装着した状態を示す。
【図５】本発明に係る第２実施形態の巻爪矯正器の平面図である。
【図６】本発明に係る第３実施形態の巻爪矯正器の平面図である。
【図７】曲げ加工前の状態を示す平面図である。
【図８】本発明に係る第４実施形態の巻爪矯正器の平面図である。
【図９】従来の巻爪矯正器の矯正動作を説明する図であり、（ａ）は、巻爪の矯正当初の状態を示し、（ｂ）は、巻爪の矯正後半の状態を示す。
【発明を実施するための形態】
【００３１】
以下、本発明に係る第１実施形態の巻爪矯正器Ａを図１〜図４に基づいて説明する。尚、以下で説明する各実施形態は、本発明を限定するものではない。
【００３２】
巻爪矯正器Ａは、２本の矯正体１と、矯正体１を軸方向にスライド自在に支持する支持筒２と、支持筒２に一体に設けられ、爪Ｂの自由縁Ｂ１に装着するための挟持部３とを具備している。
【００３３】
巻爪矯正器Ａは、矯正体１を爪Ｂの自由縁Ｂ１の趾肉Ｃ側の面（以下、「裏面」という）Ｂ１０に、軸を爪Ｂの幅に沿って配置した状態で、自由縁Ｂ１に対して自由縁Ｂ１の先端Ｂ１１側から挟持部３を嵌合することで、爪Ｂに装着されると共に、装着状態において巻爪Ｂ’（図２参照）の矯正が開始されるようになっている。
【００３４】
矯正体１は、金属材又は形状記憶合金材等の弾性を有する素材からなる線状体であり、この弾性によって矯正体１の軸の撓りに対して反発力が生じるようになっている。そしてこの反発力を利用して、矯正体１が爪Ｂの裏面Ｂ１０から自由縁Ｂ１を持ち上げるように支持することで、巻爪の矯正状態を保持できるようになっている。
【００３５】
矯正体１は、２本まとめて樹脂膜１０で被覆されてなるものであり、巻爪Ｂ’の矯正中に矯正体１が自由縁Ｂ１に接触したときに、接触圧を樹脂膜１０によって緩和することで、接触圧による自由縁Ｂ１の割れやひび等の発生を抑制できるようになっている。
【００３６】
矯正体１は、軸方向の長さ（自由縁Ｂ１の幅方向に沿う長さ）が、自由縁Ｂ１の左右幅よりも長く設定されており、自由縁Ｂ１に装着した状態で自由縁Ｂ１の左右縁Ｂ１２、Ｂ１２からはみ出すが、はみ出した部分を切断することで、矯正体１の軸方向の長さを自由縁Ｂ１の幅方向の左右縁Ｂ１２、Ｂ１２からはみ出さない長さに調節するようにされている（図２参照）。
【００３７】
尚、矯正体１の本数は、例示した２本に限らず、１本乃至３本以上でもよく、自由縁Ｂ１の裏面Ｂ１０に配置できる本数であると共に、巻爪Ｂ’の矯正状態を保持できる反発力が生じる本数であればよい。
【００３８】
また、矯正体１は、線状体に限らず、板状のものであってもよく、例えば、弾性を有する金属材又は形状記憶合金材を板状に形成したものが挙げられる。
【００３９】
支持筒２と挟持部３とは、弾性を有する一枚の薄い金属板を切断・曲げ・折り等の各種加工を施して一体としたクリップＤに形成されている。
【００４０】
具体的には、クリップＤは、支持筒２と挟持部３とを自由縁Ｂ１の長さ方向（自由縁Ｂ１の伸び方向）に沿って連続するように形成された２個のクリップ部Ｄ１を備え、このクリップ部Ｄ１が、自由縁Ｂ１の幅方向に並列するように一対として配されていると共に、並列するクリップ部Ｄ１、Ｄ１同志が連結板２３を介して一体化されている。
【００４１】
尚、本発明では、支持筒２と挟持部３とが一体に形成されたものに限らず、支持筒２と挟持部３とを別々に形成して、連結板２３を介して両者を固着して一体化したものとしてもよい。また、支持筒２と挟持部３とを分割した形態に限らない。
【００４２】
支持筒２は、矯正体１の軸と平行な軸を有して軸方向に矯正体１をスライド自在、且つ抜き挿し自在に挿入されていると共に、２本の矯正体１を径方向に沿って前後方向に並べることができるように、前後方向に長い断面長円状に形成されている（図３参照）。
【００４３】
尚、支持筒２の断面形状は、矯正体１が板状のものである場合には、矯正体１の断面形状に対応する形状とし、矯正体１の本数が１本の場合では、断面円形として支持された矯正体１が前後にずれないようにする。
【００４４】
また、矯正体１の形態として、例示したように２本の線状体を径方向に並べて樹脂膜１０で被覆した形態、或いは板状に形成した形態であることが好適であり、支持筒２の断面形状を、これらの矯正体１の断面形状に適合する形状にすることによって、支持筒２内での矯正体１の回転を防止することができるので、装着作業が極めてスムーズに行える。
【００４５】
挟持部３は、幅方向の長さを支持筒２の軸長と同じ長さとして、断面長円状に曲げ加工された支持筒２の周端から前方へ突出する方向に連設されたＵ字ばね形状に形成されている。
【００４６】
挟持部３は、支持筒２と対面する端部を挿入口３０とし、支持筒２の周端から連設された固定板３１と、固定板３１に対して固定板３１の厚み方向で対面するように配された支持板３２と、固定板３１と支持板３２とを突出側で連結する断面Ｕ字状の連結部３３と、支持板３２の挿入口３０側の端部に固定板３１に向かって突設され接触突起３４とを備えている。
【００４７】
挿入口３０は、固定板３１の厚み方向に沿う幅(高さ方向の幅)が自由縁Ｂ１の厚みよりも大きい幅に設定されている。
【００４８】
連結部３３は、固定板３１の厚み方向への挿入口３０の開動作による固定板３１から支持板３２が離間する方向(挿入口３０を拡開する方向)への力に対して、挿入口３０を閉動作させる方向の反発力が生じるばね力を有している。
【００４９】
尚、連結部３３は、断面Ｕ字状に形成されたものに限らず、挿入口３０の開動作に対して挿入口３０を閉動作させる方向の反発力が生じるばね力を有する形態であればよい。
【００５０】
接触突起３４は、支持板３２の挿入口３０側の端部から連結部３３側へ向かうにしたがって、徐々に固定板３１側に近づき、固定板３１と支持板３２との間を狭めるように傾斜する傾斜面３４ａとして形成されている。
【００５１】
また、接触突起３４は、幅方向の両縁部から突出側の端部に至り先細り状として、突出側の端部の先端３４ｂを尖らせた先細り形状に形成されており、装着時において先端３４ｂが自由縁Ｂ１の表面に設けられた掛止溝Ｂ１ａに引っ掛かるようにされている（図１、図２参照）。
【００５２】
巻爪矯正器Ａの自由縁Ｂ１への装着は、矯正体１を自由縁Ｂ１の裏面Ｂ１０に配置した状態で、挟持部３を自由縁Ｂ１に嵌合することで装着される。
【００５３】
挟持部３は、自由縁Ｂ１の裏面Ｂ１０側に固定板３１を位置させると共に、自由縁Ｂ１の表面Ｂ１３側に支持板３２を位置させ、且つ挿入口３０を自由縁Ｂ１の先端Ｂ１１に正対させた状態として、挿入口３０を先端Ｂ１１から自由縁Ｂ１に押し込むことで挟持部３を自由縁Ｂ１に嵌合することができる。
【００５４】
挟持部３の嵌合動作では、傾斜面３４ａが自由縁Ｂ１に接触すると共に、傾斜面３４ａが自由縁Ｂ１の後方（趾肉Ｃ側）へ移動することによって、支持板３２が連結部３３の反発力に抗して自由縁Ｂ１の厚みに沿う高さ方向に移動し、且つ接触突起３４を自由縁Ｂ１の表面Ｂ１３に至らせるようになっている。
【００５５】
挟持部３の嵌合では、矯正体１を撓ませながら自由縁Ｂ１の裏面Ｂ１０に位置させると共に、自由縁Ｂ１の巻爪となっている幅方向の両端部を拡げて、矯正体１を自由縁Ｂ１の裏面Ｂ１０に沿わせながら行う。
【００５６】
挟持部３の嵌合終了時には、拡げた自由縁Ｂ１の左右端部Ｂ１２、Ｂ１２が再び巻爪Ｂ’にならないように、矯正体１の撓みに対する反発力を自由縁Ｂ１の裏面Ｂ１０に作用させることができる。
【００５７】
また、矯正体１の周面の軸方向に沿うある程度の範囲が、自由縁Ｂ１の裏面Ｂ１０に対して接触した状態で自由縁Ｂ１を支えるので、矯正体１の反発力を自由縁Ｂ１の一点に集中させることなく、自由縁Ｂ１の裏面Ｂ１０の幅方向全域に矯正体１の全域が接触した状態で自由縁Ｂ１の左右端部Ｂ１２、Ｂ１２を持ち上げるように支えることができる。
【００５８】
挟持部３を嵌合させて矯正体１を自由縁Ｂ１の裏面Ｂ１０に位置させた状態では、矯正体１の両端部が自由縁Ｂ１の左右端部Ｂ１２、Ｂ１２から外側へはみ出すが、このはみ出した矯正体１の部分（図１において仮想線で示す）を、自由縁Ｂ１の左右端部Ｂ１２、Ｂ１２と面一となる部分で切断することで、矯正体１を自由縁Ｂ１の左右端部Ｂ１２、Ｂ１２からはみ出させずに配置することができ、これにより、靴下や靴を通常通りに履くことができる。
【００５９】
挟持部３の嵌合前には、自由縁Ｂ１の表面を削って接触突起３４の先端３４ｂが掛止される掛止溝Ｂ１ａを作っておき、挟持部３を自由縁Ｂ１に嵌合した状態で、先端３４ｂが掛止溝Ｂ１ａに掛合するようにしている。
【００６０】
掛止溝Ｂ１ａの深さは、先端３４ｂが引っ掛かって挟持部３が自由縁Ｂ１から抜け難くできる程度のわずかな深さでよく、この程度の深さであれば、挟持部３の取り外しも容易にできる上に、自由縁Ｂ１の割れやひび等を発生させずに簡単に削ることができる。
【００６１】
以上の構成とする巻爪矯正器Ａによると、矯正体１の周面の軸方向に沿うある程度の範囲が、自由縁Ｂ１の裏面Ｂ１０に対して接触した状態で自由縁Ｂ１を支えるようにしているので、自由縁Ｂ１に孔を開けることなく矯正体１を配置できると共に、自由縁Ｂ１に対して矯正体１が点接触することによる自由縁Ｂ１の割れやひび等の発生を防ぐことができる。
【００６２】
また、矯正体１を自由縁Ｂ１の幅に対応して切断することによって、１種類の巻爪矯正器Ａで個人毎に異なる爪幅に対応することができる。
【００６３】
また、矯正体１が支持筒２に対して軸方向にスライド自在に挿入されているため、挟持部３を自由縁Ｂ１に嵌合した状態で、矯正体１のみが撓ると共に、撓りから真っ直ぐな状態に戻るときの反発力が生じることにより、挟持部３が固定状態であっても、巻爪の矯正を行うことができる。
【００６４】
挟持部３を自由縁Ｂ１に嵌合したときに、自由縁Ｂ１を挟持する固定板３１と支持板３２とに連結部３３の反発力が作用すると共に、接触突起３４が自由縁Ｂ１に形成された掛止溝Ｂ１ａに掛止されるため、巻爪矯正器Ａの装着状態の確実性を高めることができる。
【００６５】
また、接触突起３４の先端３４ｂを尖らせていることから、掛止溝Ｂ１ａの深さや幅がわずかであっても、接触突起３４の先端３４ｂが掛止溝Ｂ１ａに引っ掛かるため、自由縁Ｂ１からの挟持部３のずれや脱落による巻爪矯正器Ａの外れを防ぐことができ、その上、掛止溝Ｂ１ａを形成しなくても、自由縁Ｂ１の表面Ｂ１３に接触突起３４の先端３４ｂを食い込ませることで、自由縁Ｂ１からの挟持部３のずれや脱落による巻爪矯正器Ａの外れを防ぐことができる。
【００６６】
また、接触突起３４が、前述のような構成により傾斜面３４ａとして形成されているため、挟持部３の自由縁Ｂ１に嵌合する方向へのスライドは、連結部３３の反発力によって、自由縁Ｂ１に対して固定板３１と接触突起３４の先端３４ｂとが接触する接触摩擦に抗して行うことができる。
【００６７】
また、挟持部３の嵌合状態では、接触突起３４の先端３４ｂが掛止溝Ｂ１ａに掛止されているので、挟持部３を自由縁Ｂ１から抜き取る方向のスライドが防止され、これによって、巻爪矯正器Ａの装着状態を保持することができる。
【００６８】
さらに、掛止溝Ｂ１ａを形成せずに、挟持部３を嵌合させた場合でも、挟持部３を自由縁Ｂ１から抜き取る方向にスライドに対して、接触突起３４の先端３４ｂが自由縁Ｂ１に食い込むため、挟持部３の自由縁Ｂ１から抜き取る方向へのスライドが防止され、これによって、巻爪矯正器Ａの装着状態を保持することができる。
【００６９】
また、接触突起３４は、先端３４ｂに至る形状が先細り形状であり、幅方向（左右方向）の両縁が傾斜した傾斜縁部３４ｃとなっている。そのため巻爪矯正器Ａを自由縁Ｂ１から取り外す際には、挟持部３を自由縁Ｂ１の幅方向にスライドさせることで、接触突起３４の傾斜縁部３４ｃが、掛止溝Ｂ１ａの端部Ｂ１ｂに接触しながらこの端部Ｂ１ｂに沿って摺動すると共に、この摺動に伴って、接触突起３４の先端３４ｂが自由縁Ｂ１の表面に至り、このまま、スライドさせることで取り外すことができる。
【００７０】
すなわち、巻爪矯正器Ａは、自由縁Ｂ１に対して先端Ｂ１１から挟持部３を嵌合させることで装着でき、挟持部３を自由縁Ｂ１の幅方向に沿ってスライドさせれば取り外すことができるので、自由縁Ｂ１に対する巻爪矯正器Ａの着脱が簡単にできると共に、自由縁Ｂ１に対して挟持部３を固定状態にすることなく装着状態を保持することができる。
【００７１】
また、巻爪矯正器Ａの取り外しの際に行う挟持部３のスライドでは、挟持部３を変形させたり切断したりすることなく行うことができるため、巻爪矯正器Ａの再使用ができ、幅が広い爪Ｂに再使用する場合には、使用していた矯正体１を支持筒２から抜き取って、新たな矯正体１を支持筒２に挿入すればよく、狭い幅の爪Ｂに再使用する場合には、使用していた矯正体１をそのまま用いて、自由縁Ｂ１の左右縁Ｂ１２、Ｂ１２からはみ出した部分を切断すればよい。
【００７２】
したがって、本実施形態の巻爪矯正器Ａは、装着時における爪Ｂの割れの防止、個人毎で異なる爪Ｂの幅への幅広い対応、製造コストの削減、自由縁Ｂ１に対する装着状態の保持等の各問題点を解消し、その上で、自由縁Ｂ１に対する着脱容易性の向上が図れると共に、巻爪矯正器Ａの再使用を可能とすることができる。
【００７３】
次に、本発明に係る第２実施形態の巻爪矯正器Ａ’を図５に基づいて説明する。尚、第１実施形態の巻爪矯正器Ａと重複する内容についての説明は、図面に同符号を付すことにより省略する。
【００７４】
巻爪矯正器Ａ’は、２個のクリップＤを備えたものであり、２個のクリップＤを、クリップＤ同志に適当な間隔を開けて自由縁Ｂ１に嵌合することで装着するようにされている。
【００７５】
この巻爪矯正器Ａ’によると、２個のクリップＤで自由縁Ｂ１を挟持しているため、より確実に、自由縁Ｂ１に対する装着状態を保持することができ、しかも、比較的、爪幅の広い自由縁Ｂ１に装着するのに好適である。
【００７６】
巻爪矯正器Ａと巻爪矯正器Ａ’の使い分けは、爪幅の狭い自由縁Ｂ１には巻爪矯正器Ａを用い、爪幅の広い自由縁Ｂ１には、前述のように巻爪矯正器Ａ’を、自由縁Ｂ１への装着を迅速にするには、巻爪矯正器Ａを、自由縁Ｂ１への装着をより確実にするには巻爪矯正器Ａ’を、夫々用いる等、様々な使い分けができる。
【００７７】
また、巻爪矯正器Ａ’は、２個のクリップＤを備えた形態として例示しているが、クリップＤの個数は、３個以上としてもよく、爪幅に対応して増減できる。
【００７８】
次に、本発明に係る第３実施形態の巻爪矯正器Ａ’’を図６、図７に基づいて説明する。尚、第１実施形態の巻爪矯正器Ａ及び第２実施形態の巻爪矯正器Ａ’と重複する内容についての説明は、図面に同符号を付すことにより省略する。
【００７９】
前述のように、巻爪矯正器Ａ及び巻爪矯正器Ａ’は、一対のクリップ部Ｄ１を備えたクリップＤとしたものであるが、巻爪矯正器Ａ’’は、１個のクリップ部Ｄ１からなるクリップＤ’としたものである。
【００８０】
クリップＤ'は、図６、図７に示すように、挟持部３における支持板３２の全域が、連結部３２側の端部から接触突起３４側の端部まで平面視先細り形状として形成され、接触突起３４が支持板３２の先細り形状に連続して形成されており、クリップＤにおける接触突起３４よりも鋭角な接触突起３４にされている。
【００８１】
このような、巻爪矯正器Ａ’’は、クリップ部Ｄ１が１個であるため、自由縁Ｂ１への装着を迅速に行うことができると共に、装着状態において、自由縁Ｂ１からの巻爪矯正器Ａ’’の突出部分を少なくすることができる。
【００８２】
また、支持板３２が平面視先細り形状であるため、支持板３２が固定板３１から離れる方向(挿入口３０を拡開する方向)へ撓み変形し易い状態になり、特に、接触突起３４側が撓み変形し易くなっている。
【００８３】
すなわち、巻爪矯正器Ａ’’の自由縁Ｂ１への装着時において、支持板３２が撓み変形することで挿入口３０が拡開されるため、拡開に要する力が小さくなり、拡開から戻る反発力も小さくなって、挿入中の自由縁Ｂ１への接触突起３４の接触圧も低くなるため、挿入口３０への自由縁Ｂ１の挿入をスムーズに行うことができる。
【００８４】
また、接触突起３４の先端が鋭角であるため、掛止溝Ｂ１ａの幅を狭くすることができると共に、掛止溝Ｂ１ａの深さを浅くしても、掛止溝Ｂ１ａに対する接触突起３４の掛止状態の確実性を保持することができ、しかも、自由縁Ｂ１の健康状態が悪くても、掛止溝Ｂ１ａを形成する際の自由縁Ｂ１の破損を抑制することができる。
【００８５】
次に、本発明に係る第４実施形態の巻爪矯正器Ａ’’’を図８に基づいて説明する。尚、本形態の巻爪矯正器Ａ’’’は、第３実施形態におけるクリップＤ’を３個備えたものである。第３実施形態と重複する部位についての説明は、図面に同符号を付すことにより省略する。
【００８６】
第４実施形態の巻爪矯正器Ａ’’’は、第３実施形態の巻爪矯正器Ａ’’と同じ効果を奏し、その上で、クリップＤ’を３個備えていることによって、自由縁Ｂ１への装着状態の保持をより確実に行うことができる。
【００８７】
尚、クリップＤ’の個数は、自由縁Ｂ１の幅に応じて増減することができる。また、自由縁Ｂ１への装着状態の保持という点から、少なくとも、２個のクリップＤ’を備えたものとすることが好ましい。
【００８８】
本発明においては、接触突起３４がない巻爪矯正器Ａとしてもよく、この場合、自由縁Ｂ１への装着状態をより確実に保持するために、連結部３３の反発力を強くして、挟持部３の挟持力を増すようにしてもよいし、挟持部３を自由縁Ｂ１に接着剤や接着テープで固定してもよい。
【００８９】
本発明は、例示した実施の形態に限定するものではなく、特許請求の範囲の各項に記載された内容から逸脱しない範囲の構成による実施が可能である。
【符号の説明】
【００９０】
Ａ：巻爪矯正器
Ａ’： 巻爪矯正器
Ａ’’： 巻爪矯正器
Ａ’’’： 巻爪矯正器
Ｂ：爪
Ｂ１：自由縁
１：矯正体
２：支持筒
３：挟持部
Ｂ２：端縁
Ｂ３：端縁
３０：挿入口
３１：固定板
３２：支持板
３３：連結部
３４：接触突起
３４ａ：傾斜面
３４ｂ：先端
Ｂ１ａ：掛止溝
【図１】
2018138945.tif 000003
【図２】
2018138945.tif 000004
【図３】
2018138945.tif 000005
【図４】
2018138945.tif 000006
【図５】
2018138945.tif 000007
【図６】
2018138945.tif 000008
【図７】
2018138945.tif 000009
【図８】
2018138945.tif 000010
【図９】
2018138945.tif 000011
【国際調査報告】
2018138945.tif 000012
2018138945.tif 000013